(57)【特許請求の範囲】
【請求項１】
棒状物を被取付部材に対し解除可能に係止するロック機構において、前記棒状物は先端部に係止部を有し、前記ロック機構は前記棒状物を挿入可能な開口及び前記棒状物の係止部と係合する係止部を有したロック部材と、前記ロック部材を前記係合方向へ付勢する付勢手段と、前記ロック部材を操作する操作部と、前記ロック部材の移動を案内する略Ｊ字形の溝と、前記ロック部材に設けられて前記溝に嵌合している二つの軸とを備え、
前記棒状物を前記開口へ挿入すると、前記ロック部材が前記付勢手段の付勢力により移動して、前記係止部同士の係合により該棒状物を引き抜き不能にするロック状態となり、前記ロック部材が前記操作部を介した操作によって前記移動前のロック解除状態に復帰され、かつ前記軸の一方が前記溝の折り曲がった鉤部に入ったときに前記ロック部材を前記ロック解除状態に維持することを特徴とする棒状物のロック機構。
【請求項２】
棒状物を被取付部材に対し解除可能に係止するロック機構において、前記棒状物は先端部に係止部を有し、前記ロック機構は前記棒状物を挿入可能な開口及び前記棒状物の係止部と係合する係止部を有したロック部材と、前記ロック部材を前記係合方向へ付勢する付勢手段と、前記ロック部材を操作する操作部とを備え、
前記棒状物を前記開口へ挿入すると、前記ロック部材が前記付勢手段の付勢力により移動して、前記係止部同士の係合により該棒状物を引き抜き不能にするロック状態となり、前記ロック部材が前記操作部を介した操作によって前記移動前のロック解除状態に復帰されると共に、
前記ロック解除状態から、前記棒状物の前記開口への挿入に連動して前記ロック部材を揺動して前記ロック状態に切換可能にする連動切換手段を有していることを特徴とする棒状物のロック機構。
【請求項３】
前記棒状物の係止部は先端側を径大部にしその上を径小部にした略首状をなし、前記ロック部材の係止部は前記径小部に係合する略Ｕ状をなし、かつ上面が前記棒状物の下端で押されると該ロック部材を移動可能にする傾斜面となっていることを特徴とする請求項１又は２に記載の棒状物のロック機構。
【発明の詳細な説明】
【技術分野】
【０００１】
本発明は、例えば、寝台などを構成している差込式側柵を固定フレームに解除可能に係止するに好適なロック機構に関するものである。
【背景技術】
【０００２】
例えば、病院等で使用されている寝台には、寝台側部に立設されて布団や患者等の落下を防止したり寝台への乗り降りをし易くするため側柵（サイドレール）が取り外し可能に設けられている。その側柵は、特許文献１に開示のごとく固定フレームに対しロック機構を介して不用意に外れないよう固定される。そのロック機構は、側柵の脚部に装着される弾性のロック具と、固定フレーム（サイドレール）側に設けられる被係止部とからなる。被係止部は、側柵の脚部を差し込むホルダー部の周囲に貫通孔として形成されている。ロック具は、本体及び該本体の先端から下向きに延設された片部と、該片部に設けられて前記被係止部に係脱する凸形の係止部及び解除用操作部とを有している。そして、この構造では、脚部が固定フレーム側ホルダー部に差し込まれると、前記係止部及び解除用操作部が該脚部に設けられた対応する貫通孔からそれぞれ外へ突出配置されて脚部を引き抜き不能にするロック状態となり、操作部を押すと被係止部に係合している係止部が係合解除されて脚部を引き抜くことができる。
【特許文献１】特開２００３−２９９５５３号公報
【発明の開示】
【発明が解決しようとする課題】
【０００３】
以上のロック機構では、特に患者が不用意に解除操作し難いことと、係止力が高く簡単に抜けないこと、老人などが側柵を着脱し易いように操作性に優れていることが要求される。ところが、従来構造では、係止力がロック具の弾性を利用しているため増大し難く、また、例えば操作部を押して全てのロック機構を解除し、その解除状態を保って側柵を引き抜かなければならず操作性が悪かった。
【０００４】
そこで、本発明の目的は、例えば、簡単な構成で、係止力を増大したり、操作性を向上することにある。
【課題を解決するための手段】
【０００５】
上記目的を達成するため請求項１の本発明は、棒状物を被取付部材に対し解除可能に係止するロック機構において、前記棒状物は先端部に係止部を有し、前記ロック機構は前記棒状物を挿入可能な開口及び前記棒状物の係止部と係合する係止部を有したロック部材と、前記ロック部材を前記係合方向へ付勢する付勢手段と、前記ロック部材を操作する操作部と、前記ロック部材の移動を案内する略Ｊ字形の溝と、前記ロック部材に設けられて前記溝に嵌合している二つの軸とを備え、前記棒状物を前記開口へ挿入すると、前記ロック部材が前記付勢手段の付勢力により移動して、前記係止部同士の係合により該棒状物を引き抜き不能にするロック状態となり、前記ロック部材が前記操作部を介した操作によって前記移動前のロック解除状態に復帰され、かつ前記軸の一方が前記溝の折り曲がった鉤部に入ったときに前記ロック部材を前記ロック解除状態に維持することを特徴としている。
また、請求項２の発明は、棒状物を被取付部材に対し解除可能に係止するロック機構において、前記棒状物は先端部に係止部を有し、前記ロック機構は前記棒状物を挿入可能な開口及び前記棒状物の係止部と係合する係止部を有したロック部材と、前記ロック部材を前記係合方向へ付勢する付勢手段と、前記ロック部材を操作する操作部とを備え、
前記棒状物を前記開口へ挿入すると、前記ロック部材が前記付勢手段の付勢力により移動して、前記係止部同士の係合により該棒状物を引き抜き不能にするロック状態となり、前記ロック部材が前記操作部を介した操作によって前記移動前のロック解除状態に復帰されると共に、前記ロック解除状態から、前記棒状物の前記開口への挿入に連動して前記ロック部材を揺動して前記ロック状態に切換可能にする連動切換手段を有していることを特徴としている。
【０００６】
以上の各発明において、棒状物は、取付部が棒状であればよく主要部としては側柵など何でもよい。被取付部材は、棒状物をロック機構を介して固定する部材や該部材の取付部である。そして、棒状物は、先端側に設けられた係止部を有し、該係止部がロック機構を構成しているロック部材の係止部と係合する。作動特徴は、特許文献１に比べてロック部材を付勢力により移動して棒状物をロック状態にするため係止力を増大できることと、形態に示したようにロック部材がロック解除状態でもロック状態でも棒状物の開口への挿入によりロック部材の付勢力による移動を伴って常にロック状態となり、また、ロック部材が操作部を介した操作により移動前のロック解除状態に切り換えられ点にある。
【０００７】
以上の請求項１又は２において、前記棒状物の係止部は先端側を径大部にしその上を径小部にした略首状をなし、前記ロック部材の係止部は前記径小部に係合する略Ｕ状をなし、かつ上面が前記棒状物の下端で押されると該ロック部材を移動可能にする傾斜面となっている構成である（請求項３）。
【発明の効果】
【０００８】
請求項１の発明では、棒状物を開口へ挿入すると、ロック部材が付勢力による移動を伴って、棒状物側係止部とロック部材側係止部とが係合してロック状態となる。この利点は、ロック部材の係止力を強くできことに加え、棒状物が図４のロック解除状態に限られず図５のロック状態でも常にロックされるため操作性を向上できる。また、ロック部材が操作部を介した操作によって図６のごとく移動前のロック解除状態に復帰されるため、棒状物の取り外し操作性も向上できる。
【０００９】
更に、この発明では、略Ｊ字形の溝とロック部材側の軸との簡単な構成によって、ロック部材を安定移動したり付勢力に抗してロック解除状態に保つことが可能で、それにより、例えば、形態のごとく複数の棒状物を対応するロック機構を介して固定する場合、各ロック機構を予めロック解除状態にした後、棒状物を両手を使って固定操作できる。
【００１０】
請求項２の発明では、段落０００８に記載した効果に加えて、ロック解除状態から、棒状物の挿入に伴ってロック部材を連動切換手段を介してロック状態に切り換えるため操作性に優れている。
【００１１】
請求項３の発明では、ロック部材がロック状態において、棒状物の挿入により一旦ロック解除方向へ移動した後、再び付勢力で係合方向へ移動されて棒状物をロック状態に切り換える構成例であり、簡易に実施可能となる。
【発明を実施するための最良の形態】
【００１２】
以下、本発明の最適な形態を図面を参照しながら説明する。図１はロック機構の適用例を示し、図２と図３はロック機構の構成を示し、図４〜図６はロック機構の作動を示している。
【００１３】
（機構）形態のロック機構５は、ケース１、ロック部材２、操作部材３、付勢ばねＳ、可動ピン４を備え、図１（ａ）に示されるごとく固定フレーム６に対し着脱する物品（例えば、寝台を構成している側柵）の対応フレーム部８に設けられた複数の棒状物７，７を解除可能に係止する場合に好適なものである。各棒状物７は先端側に係止部７ａを形成している。この係止部７ａは、棒状物先端側を径大部にしその上を径小部にした略首状をなしている。なお、ケース１、ロック部材２、操作部材３は樹脂成形品であるが、樹脂以外でも差し支えない。
【００１４】
ケース１は、内部が上面１０及び下面１１、両側面１２、一方端面１３で区画されて、他方端面が矩形窓状に開口１４されている。上面１０は、左右が長くなっており、その延長部に設けられた取付孔１０ａと、中央部に設けられた差込孔１５とを有している。上面１０及び下面１１の内面には、幅方向に延びた略筒状取付部１６が複数設けられている。両側面１２は、対向して設けられた略Ｊ字形の溝１７、及び内面にあって左右に延びているガイド溝１８とを有している。溝１７は、水平方向に延びた直線溝部１７ａと、直線溝部１７ａの先端から下向きに延びた鉤部１７ｂとで構成されている。ガイド溝１８は、操作部材３をガイドする断面コ形状の溝である。開口１４は操作部材３の対応部を出没する窓である。下面１１には、図５に示されるように、開口１４側にあってほぼ中間位置に小片部１９が設けられている。該小片部１９の内側（一方端面１３と対向している側）は、傾斜面に形成されているとともに、該傾斜面の上側にばね用掛止部１９ａを有している。
【００１５】
以上のケース１は、ロック部材２、操作部材３、付勢ばねＳ、可動ピン４を組み込んだ後、各側面１２が止め具８を使用して対応取付部１６に固着される。また、固定フレーム６に対し上面１０を当接した状態で取付孔１０ａを介して固着されることになる。固定フレーム６には、差込孔６ａがケース側の差込孔１５と同軸線上に設けられている。
【００１６】
ロック部材２は、図２〜図４に示されるように、前部２０及びその内側に設けられた係止部２３と、両側部２１と、後部２２とで区画された概略小ブロック状をなし、中央部が上下貫通した開口２４となっている。前部２０は、上下幅が小さく、内側に棒状物７の係止部７ａと係合する係止部２３を形成している。この係止部２３は、前部２０及び両側部２１に一体化された状態で略Ｕ状となっているとともに、上面が前側から後側へ向かって低くなる傾斜面２３ａに形成されている。両側部２１は、前端にあって左右対向して設けられたボス部２５ａ及び該ボス部中心に突設された軸２６と、略前後中間にあって左右対向して設けられたボス部２５ｂ及び該ボス部中心に突設された軸２７と、後側にあって左右対向して設けられた傾斜溝２８とを有している。この傾斜溝２８は、前側に行くほど下に変位する傾きとなっている。なお、ボス部２５ａは、ボス部２５ｂより少し高く設けられている。後部２２は、下に行くほど前側に逃げる傾斜壁となっており、該傾斜壁の下端中央に突設したばね用掛止部２９を有している。
【００１７】
以上のロック部材２には、可動ピン４が傾斜溝２８と傾斜溝２８との間に摺動自在に組み込まれる。可動ピン４は、金属製であり、両端が対応する傾斜溝２８に通された状態で溝外側から溝幅より大きな部材で抜け止め処理されている。なお、可動ピン４及び傾斜溝２８は本発明の連動切換手段を構成している。
【００１８】
操作部材３は、ケース側開口１４に対応した形状の後部３０と、後部３０の前端に一体化されてロック部材２の後側を内側に配置可能な略コ形状の前部３１とからなる。後部３０の後端面３２は、ロック部材３をロック状態からロック解除状態に切り換えるときに指等で押す操作面となる。後部３０の上下両側の各角部３３，３４は、摺動特性及び外観特性の点から面取り処理されている。また、後部３０には、図２（ｂ）のごとく前部３１の後側に向かって切り欠いた空洞３５が設けられている。この空洞３５は、前と下側を開口し、付勢ばねＳ及びケース側の小片部１９を逃げる大きさとなっている。これに対し、前部３１は、概略三角形状になっていて、先端側にあって対向して設けられた軸孔３１ａと、両側面から後部３０の各側面に亘って設けられている突部３６とを有している。
【００１９】
以上の操作部材３には、ロック部材２が前部３１の各軸孔３１ａに対応する軸２７を嵌合することにより回動可能に支持される。ロック部材２及び操作部材３は、その状態から、ケース１に対し付勢ばねＳとともに組み込まれる。まず、付勢ばねＳは、一端がケース小片部側の掛止部１９ａに係止され、他端がロック部材側の掛止部２９に係止される。両側面１２は、ロック部材側の各軸２６，２７が対応するＪ字形の溝１７に嵌合されるとともに、操作部材側の各突部３６が対応するガイド溝１８に嵌合させた状態で、ケース１に対し固定操作されることになる。図１（ｂ）と（ｃ）のロック機構５はそのようにしてケース１を介してユニット化されたロック装置である。
【００２０】
（作動）以上のロック機構５の主な作動を図４〜図６を参照しながら詳述する。図４と図５は棒状物７を挿入して抜け止めするときの２つの作動例を示し、図６は棒状物７を引き抜くときの作動例を示している。このロック機構５は、棒状物７を被取付部材に対し解除可能に係止するものであるが、単独ではロック解除状態又はロック状態となっている。ロック解除状態では、ロック部材２が操作部材３と共に付勢ばねＳに付勢力に抗して（付勢力蓄積）各図の左側へ移動され、軸２７を支点として前部２０を下側へ回動した姿勢で、軸２６がガイド溝１７の鉤部１７ｂに嵌合し、軸２７が直線溝部１７ａに嵌合している。図１（ｂ）と図４（ａ）及び図６（ｂ），（ｃ）はそのロック解除状態を示している。ロック状態では、ロック部材２が操作部材３と略並行な姿勢で共に付勢ばねＳの付勢力により（付勢力解放）各図の右側、つまり操作部材３が開口１４から突出する方向へ移動され、軸２６及び軸２７が直線溝部１７ａに嵌合している。図１（ｃ）と図４（ｃ）及び図５（ａ），（ｃ）はロック状態を示している。
【００２１】
（ア）図４はロック機構５のロック解除状態で棒状物７を挿入係止する場合を示している。この例では、棒状物７がケース側差込孔１５からロック部材２の開口２４に挿入されると、図３（ａ）のごとく可動ピン４に当たって該可動ピン４を下向きに押圧する。すると、ロック部材２は、直線溝部１７に嵌合している軸２７を支点として同図の矢印方向へ回動し、軸２６が鉤部１７ａから直線溝部１７に移行する。すると、この機構では、棒状物７が開口２４内に挿入されると同時に、ロック部材２が操作部材３と共に付勢ばねＳの付勢力により図４（ｃ）の矢印方向へ移動される。この結果、棒状物７は、係止部７ａがロック部材側係止部２３と係合されて引き抜き不能なロック状態となる。
【００２２】
（イ）図５はロック機構５のロック状態で棒状物７を挿入係止する場合を示している。この例では、棒状物７がケース側差込孔１５からロック部材２の開口２４に挿入されてくると、図３（ｂ）において、左側の棒状物７のごとく該棒状物先端が傾斜面２３ａに当たって傾斜面２３ａを押圧する。すると、ロック部材２は、その押圧の水平方向の応力により前方へ押されて、付勢ばねＳの付勢力に抗して図５（ｂ）の矢印方向へ移動される。すると、この機構では、棒状物７が傾斜面２３ａを通り抜けと同時に、ロック部材２が付勢ばねＳの付勢力により元の図５（ｃ）の矢印方向へ移動される。この結果、棒状物７は、係止部７ａがロック部材側係止部２３と係合されて引き抜き不能なロック状態となる。
【００２３】
（ウ）図６は図４（ｃ）や図５（ｃ）のロック状態からロック解除状態に切り換えて棒状物７を引き抜く場合を示している。この例では、操作部材３の操作面３２を図６（ａ）の矢印方向へ押して、操作部材３をロック部材２と共に付勢ばねＳの付勢力に抗してケース内側へ移動する。すると、ロック部材２は、図６（ｂ）のごとく軸２６が直線溝部１７ａから鉤部２７ｂに移行されて、ロック機構５としてはロック解除状態に維持される。このロック解除状態から、棒状物７を引き抜く。この過程では、図３（ｂ）において、右側の棒状物７のごとく該棒状物先端の径大部が可動ピン４に当たって、該可動ピン４を傾斜溝２８の下から上側へ逃がすことで、棒状物７が可動ピン４に邪魔されることなくスムースに引き抜かれることになる。以上の可動ピン４は、付勢ばねなどによりロック部材２側に付勢しておき、棒状物７を引き抜くときに可動ピン４をその付勢力に抗して傾斜溝２８に沿って逃がすようにすることが好ましい。その場合は、可動ピン４が棒状物７に対する仮保持機能としても作用することになる。
【００２４】
なお、本発明のロック機構は、以上の形態をベースにして細部は必要に応じて種々変更したり展開可能なものであり、また、抜止機構として捉えたり、ケースを含めてロック装置として捉えることも可能である。
【図面の簡単な説明】
【００２５】
【図１】本発明形態としてロック機構の適用例を示し、（ａ）は棒状物及び被取付部材並びにロック機構の配置例を示し、（ｂ）はロック機構をロック解除状態で示し、（ｃ）はロック状態で示している。
【図２】上記ロック機構の要部を示し、（ａ）はケース側板を外した状態で示し、（ｂ）はロック部材と操作部材との関係を示す構成図である。
【図３】上記ロック部材と操作部材との作動を示し、（ａ）はロック部材が棒状物の挿入により回動されてロック解除状態からロック状態に切り換えられる作動を示し、（ｂ）はロック部材の回動後の動き及び棒状物がロック状態で挿入されたときの動きを示している。
【図４】上記ロック機構の作動として、（ａ）は棒状物がロック部材のロック解除状態で挿入されるところを示し、（ｂ）はロック部材が挿入される棒状物により回動したところを示し、（ｃ）はロック部材がロック状態に切り換えられたところを示している。
【図５】上記ロック機構の作動として、（ａ）は棒状物がロック部材のロック状態で挿入されるところを示し、（ｂ）はロック部材が挿入される棒状物により移動されるところを示し、（ｃ）はロック部材がロック状態に切り換えられたところを示している。
【図６】上記ロック機構の作動として、（ａ）は棒状物をロック部材のロック状態から引き抜くところを示し、（ｂ）はロック部材が引き抜かれる棒状物によりロック解除状態に切り換えられるところを示し、（ｃ）は棒状物を引き抜いたところを示している。
【符号の説明】
【００２６】
１…ケース（１０は上面、１１は下面、１２は側面）
２…ロック部材（２３は係止部、２３ａは傾斜面、２４は開口）
３…操作部材（操作部）
４…可動ピン（連動切換手段）
５…ロック機構
６…固定フレーム（被取付部材に相当し、８ａは差込孔）
７…側柵の棒状物（７ａは係止部）
２６，２７…軸
２８…傾斜溝
Ｓ…付勢ばね（付勢手段）
【図１】
0005099835.tif 000002
【図２】
0005099835.tif 000003
【図３】
0005099835.tif 000004
【図４】
0005099835.tif 000005
【図５】
0005099835.tif 000006
【図６】
0005099835.tif 000007